(57)【要約】【課題】  ボルトによる固定をせず容易に着脱可能でありながら、カバーの位置ずれを防止した工作機械のカバー装置を提供する。【解決手段】  工作機械本体に設けられた溝状の支持部7に、カバー4に設けられた取付け部8を引掛けて固定する。取付け部8は、支持部7の垂直壁7bに前側から当接する当接部11を有する第１部材9と、支持部7の垂直壁7bに後側から当接する当接部15を有する第２部材10とからなる。第１部材9および第２部材10の少なくとも一方の当接部11,15に、第１屈曲部15aおよび第２屈曲部15bからなり弾性変形することで支持部7の垂直壁7bに付勢力を及ぼす弾性変形部が設けられている。【選択図】    図１
2020019091.tif 000002
【特許請求の範囲】
【請求項１】
工作機械本体に設けられた溝状の支持部に、カバーに設けられた取付け部を引掛けて固定するカバー装置であって、
前記取付け部は、前記支持部の垂直壁に前側から当接する当接部を有する第１部材と、前記支持部の垂直壁に後側から当接する当接部を有する第２部材とからなり、前記第１部材および前記第２部材の少なくとも一方の当接部に、弾性変形することで前記支持部の垂直壁に付勢力を及ぼす弾性変形部が設けられていることを特徴とする工作機械のカバー装置。
【請求項２】
前記弾性変形部は、板材の一部が弾性変形可能なように折り曲げられることで形成されていることを特徴とする請求項１の工作機械のカバー装置。
【請求項３】
前記弾性変形部は、板材の一部が横向きＶ字状に折り曲げられることで形成されていることを特徴とする請求項１の工作機械のカバー装置。
【発明の詳細な説明】
【技術分野】
【０００１】
この発明は、工作機械のカバー装置に関する。
【背景技術】
【０００２】
工作機械で使用される外装の化粧カバーには、外観上の美観のため、ボルトなどがカバーの表面に出ないように工夫する要求がある。
【０００３】
このような化粧カバーの取付けに際し、ボルトが見えないように工夫する方法として、化粧カバーの裏側からボルトを止める構造があるが、これには、カバーの着脱が容易でないという問題がある。
【０００４】
ボルトを使用しない工作機械のカバー装置(41)としては、図４に示すように、カバー(4)に２つの金具(42)(43)を固定し、これらの金具(42)(43)に設けられた爪(42a)(43a)を工作機械本体に設けられたガイドレール(7)に引掛けることでカバー(4)を取り付けるものがある。
【０００５】
また、特許文献１には、ボルトを使用しない工作機械のカバー装置として、カバーおよびカバー支持部に、複数の固定用凹部と複数の突出部とが形成され、固定用凹部と突出部とが噛み合うようになされたものが開示されている。
【先行技術文献】
【特許文献】
【０００６】
【特許文献１】国際公開第２０１６／１２５２９９号
【発明の開示】
【発明が解決しようとする課題】
【０００７】
図４に示したカバー装置(41)によると、ガイドレール(7)に１対の爪(42a)(43a)を引掛けて固定するようになっているが、爪(42a)(43a)同士の隙間が大きいと、カバー(4)の位置がずれるという問題がある。爪(42a)(43a)同士の隙間を小さくすることで、カバー(4)の位置ずれは小さくできるが、この場合には、カバー(4)の着脱がしにくくなるという問題が生じる。
【０００８】
特許文献１のカバー装置も、カバーの着脱の容易さとカバーの位置ずれの防止とを両立することはできていない。
【０００９】
この発明の目的は、ボルトによる固定をせず容易に着脱可能でありながら、カバーの位置ずれを防止した工作機械のカバー装置を提供することにある。
【課題を解決するための手段】
【００１０】
この発明による工作機械のカバー装置は、工作機械本体に設けられた溝状の支持部に、カバーに設けられた取付け部を引掛けて固定するカバー装置であって、前記取付け部は、前記支持部の垂直壁に前側から当接する当接部を有する第１部材と、前記支持部の垂直壁に後側から当接する当接部を有する第２部材とからなり、前記第１部材および前記第２部材の少なくとも一方の当接部に、弾性変形することで前記支持部の垂直壁に付勢力を及ぼす弾性変形部が設けられていることを特徴とするものである。
【００１１】
第１部材および第２部材の少なくとも一方の当接部に、弾性変形することで支持部の垂直壁に付勢力を及ぼす弾性変形部が設けられていることで、隙間が生じることなく、支持部の垂直壁を第１部材の当接部と第２部材の当接部とによって挟持することができ、カバーの位置ずれが防止できる。カバーの着脱は、弾性変形部からの付勢力に抗して行えばよく、付勢力の方向と着脱の方向とはほぼ直交しているので、カバーの着脱を容易に行うことができる。
【００１２】
弾性変形部は、第１部材または第２部材とは別の部材（例えば、圧縮コイルばね、皿ばねなど）で構成されているようにしてもよく、第１部材または第２部材を形成している板材を折り曲げることで第１部材または第２部材に一体に形成するようにしてもよい。また、弾性変形部は、第１部材および第２部材のいずれか一方の当接部に設けられていればよく、第１部材および第２部材の両方の当接部に設けられていてもよい。
【００１３】
弾性変形部は、板材の一部が弾性変形可能なように折り曲げられることで形成されていることが好ましい。
【００１４】
弾性変形部は、例えば、板材の一部が横向きＶ字状に折り曲げられることで形成される。このようにすると、カバーを繰り返し着脱してもがたつきが生じにくく、長期間にわたって、カバーの位置ずれの防止とカバーの着脱の容易性とを維持することができる。
【発明の効果】
【００１５】
この発明の工作機械のカバー装置によれば、ボルトによる固定をせず容易に着脱が可能でありながら、カバーを位置ずれすることなく固定することができる。
【図面の簡単な説明】
【００１６】
【図１】図１は、この発明の工作機械のカバー装置の１実施形態を示す垂直断面図である。
【図２】図２は、この発明の工作機械のカバー装置におけるカバーの取付けの途中状態を示す垂直断面図である。
【図３】図３は、この発明の工作機械のカバー装置が使用される工作機械の１例を示す斜視図である。
【図４】図４は、従来の工作機械のカバー装置を示す垂直断面図である。
【発明を実施するための形態】
【００１７】
以下、図１から図３までを参照して、この発明の工作機械のカバー装置の実施形態について説明する。なお、以下の説明において、図１の右を前、左を後といい、図１の上下を上下というものとする。
【００１８】
図３は、この発明の工作機械のカバー装置(2)が使用される工作機械の外観を示している。図３において、工作機械(1)は、工作機械本体（カバー内部の構成であるため図示略）を覆うカバー(3)(4)、操作盤(5)、スライド扉(6)などを有している。
【００１９】
カバー(3)(4)には、通常、着脱されることがあまりない全体として箱形に形成された固定カバー(3)と、着脱される機会が比較的多い外装の化粧カバー(4)とがあり、この発明の工作機械のカバー装置(2)は、化粧カバー(4)に適用される。
【００２０】
この発明の工作機械のカバー装置(2)の１実施形態が図１および図２に示されている。図１はカバー(4)が取り付けられた後の状態を示し、図２はカバー(4)が取り付けられている途中の状態（カバー(4)が取り外されるときも同じ）を示している。
【００２１】
工作機械のカバー装置(2)は、工作機械本体に設けられたガイドレール（溝状の支持部）(7)と、前側からガイドレール(7)に取り付けられる板状のカバー(4)と、カバー(4)をガイドレール(7)に引掛けて固定するための取付け部(8)とを備えている。
【００２２】
ガイドレール(7)、カバー(4)および取付け部(8)は、図１および図２に示した断面形状で、紙面に直交する方向にのびている。
【００２３】
ガイドレール(7)は、垂直断面略Ｕ字状をなし、水平状の底壁(7a)と、垂直状の前壁(7b)と、垂直状の後壁(7c)とからなる。後壁(7c)は前壁(7b)よりも高さが高いものとされている。
【００２４】
取付け部(8)は、カバー(4)の後面にそれぞれ固定された第１金具（第１部材）(9)および第２金具（第２部材）(10)からなる。
【００２５】
第１金具(9)は、ガイドレール(7)の前壁(7b)に前側から当接する垂直状の当接部(11)と、当接部(11)よりも低い位置においてカバー(4)の後面に固定された垂直状の固定部(12)と、当接部(11)の下縁と固定部(12)の上縁とを結合する傾斜状の連結部(13)と、当接部(11)の上縁に連なり前縁がカバー(4)の後面に固定された水平状の第２金具受け部(14)とからなる。
【００２６】
第２金具(10)は、ガイドレール(7)の前壁(7b)に交差部が後側から当接する横向きＶ字状の当接部(15)と、当接部(15)よりも高い位置においてカバー(4)の後面に固定された垂直状の固定部(16)と、当接部(15)の上縁と固定部(16)の下縁とを結合する水平状の連結部(17)とからなる。
【００２７】
第２金具(10)の当接部(15)は、ガイドレール(7)の前壁(7b)を介して第１金具(9)の当接部(11)に対向するように形成されており、第２金具(10)の連結部(17)は、第１金具(9)の第２金具受け部(14)の上側に重なるように形成されている。
【００２８】
横向きＶ字状とされた第２金具(10)の当接部(15)は、板材を加工するに際し、連結部(17)と鋭角をなす第１屈曲部(15a)と、第１屈曲部(15a)とほぼ直角をなす第２屈曲部(15b)とを形成することで得られている。これにより、横向きＶ字状とされた第２金具(10)の当接部(15)は、略前後方向に弾性変形が容易なものとなっている。
【００２９】
第２金具(10)の横向きＶ字状の当接部(15)の取付け前の形状は、図１とは若干違っており、図２に示すように、ガイドレール(7)の前壁(7b)の板厚よりも小さい間隙(G)で、第１金具(9)の当接部(11)に対向している。したがって、図２の取付け前（または取外し後）の状態に対して図１の取付け状態になると、第２金具(10)の当接部(15)の第１屈曲部(15a)および第２屈曲部(15b)からなる横向きＶ字状の部分が弾性変形する弾性変形部として機能し、第２金具(10)の当接部(15)は後方に弾性変形し、ガイドレール(7)の前壁(7b)に付勢力を及ぼす。これにより、ガイドレール(7)の前壁(7b)は、第１金具(9)の垂直状の当接部(11)と第２金具(10)の横向きＶ字状の当接部(15)とによって挟持される。
【００３０】
図２から図１とするカバー(4)の取付けおよび図１から図２とするカバー(4)の取外しは、第２金具(10)の当接部(15)の付勢力に抗して行えばよく、第２金具(10)の当接部(15)の付勢力の方向と取付けおよび取外しの方向とはほぼ直交しているので、これらを容易に行うことができる。
【００３１】
こうして、上記のカバー装置(2)によると、図４に示したカバー装置(41)におけるカバー(4)の位置ずれが生じやすいという問題が解消されるとともに、位置ずれを防止する際に生じる着脱がしにくくなるという問題も防止される。
【００３２】
なお、図２において、第２金具(10)の当接部(15)と第１金具(9)の当接部(11)との間隙(G)は、ガイドレール(7)の前壁(7b)の板厚よりも小さいものであればよく、ゼロであってもよい。第２金具(10)の当接部(15)の形状は、横向きＶ字状に限定されるものではなく、例えば、第２屈曲部(15b)を省略してもよく、ガイドレール(7)の前壁(7b)に付勢力を及ぼす形状であれば種々の形状とすることが可能である。第２金具(10)の当接部をガイドレール(7)の前壁(7b)との間に間隙を有する垂直状に形成し、弾性変形部としてのばね（皿ばねなど）を第２金具(10)の当接部の前面に固定するようにしてもよい。
【符号の説明】
【００３３】
(2)：カバー装置
(4)：化粧カバー（カバー）
(5)：操作盤
(7)：ガイドレール（溝状の支持部）
(7b)：前壁（垂直壁）
(8)：取付け部
(9)：第１金具（第１部材）
(10)：第２金具（第２部材）
(11)：当接部
(15)：当接部
【図１】
2020019091.tif 000003
【図２】
2020019091.tif 000004
【図３】
2020019091.tif 000005
【図４】
2020019091.tif 000006